(57)【特許請求の範囲】
【請求項１】
透光性を有する板材でありその厚さ方向の一面が平坦な発光面であり上記一面に対向する他面には複数のプリズム部が形成された第１プリズム板（６）と、板状体（８，５）とを略平行に対向させて配置することで上記第１プリズム板と上記板状体との間に導光空間（３）を形成し、上記発光面から放射するための光を上記導光空間へ投光する光源（１）を備えたライトボックスであって、
多孔質体を含み、上記光源からの光を内部で乱反射させ外側に多方向に向けて放出させる光拡散機能を有する光拡散部材（４）を上記導光空間内に備え、上記光拡散部材は、上記導光空間の隙間の１／２０以上の厚みを有することを特徴とするライトボックス。
【請求項２】
上記多孔質体の体積密度が、１．０×１０−４〜１ｍｇ／ｍｍ３の範囲である、請求項１記載のライトボックス。
【請求項３】
上記多孔質体が繊維材料からなる、請求項１又は２記載のライトボックス。
【請求項４】
上記光拡散部材は、上記導光空間の平面形状に相似する平面形状を有する、請求項１ないし３のいずれかに記載のライトボックス。
【請求項５】
上記光拡散部材は、上記光源からの距離が大きくなるに従い上記導光空間における占有体積が大きくなる形状である、請求項１ないし３のいずれかに記載のライトボックス。
【請求項６】
上記光拡散部材は、上記導光空間の中央部近傍に対応する部分が第１プリズム板方向に隆起した形状を有する、請求項１ないし４のいずれかに記載のライトボックス。
【請求項７】
上記板状体は、上記第１プリズム板と同じ構造を有する第２プリズム板（８）であり、上記第２プリズム板における上記複数のプリズム部が形成された上記他面が、上記導光空間側に向けて配置されている、請求項１ないし６のいずれかに記載のライトボックス。
【請求項８】
上記光源は上記導光空間の少なくとも１つの側面位置に配置され、上記第２プリズム板の上記プリズム部は凸状の断面形状であり上記光源から発した光の光軸に対して平行に配置されている、請求項７記載のライトボックス。
【請求項９】
上記第１プリズム板の上記プリズム部は凸状の断面形状であり上記光源から発した光の光軸に対して直交して配置される、請求項１なしい８のいずれかに記載のライトボックス。
【発明の詳細な説明】
【０００１】
【産業上の利用分野】
本発明は、屋内外用の看板に使用されるバックライト、インテリアやエクステリア等の環境照明に使用されるバックライト、又は液晶表示装置に使用されるバックライト等に用いられるライトボックスに関する。
【０００２】
【従来の技術】
例えば、特開昭６３−３１８００３号公報等には中空型ライトボックスが開示されている。このような中空型ライトボックス１００は、例えば図１３に示すように、発光面１０１ａを有するプリズム板１０１又は拡散板（不図示）と、反射板１０２とを、適宜な幅の導光空間１０３を形成するように対向して平行に配置し、上記発光面１０１ａから外部へ放射される光を導光空間１０３内へ投光するための少なくとも１個の光源１０４を配置した構成をなす。この様に構成される中空型ライトボックス１００は、透明な樹脂からなる導光板を上記導光空間１０３に配置した構成をなす中密型ライトボックスに比べて、ライトボックスの軽量化が容易に行えるという利点がある。しかし、中空型ライトボックス１００では、発光面１０１ａにおいて、光源１０４に近い端縁部分１０１ｃと光源１０４から遠い中央部分１０１ｄとで明るさ（輝度）にムラが生じ、発光面１０１ａの全体にわたって均一な明るさを得にくい。
そこで、発光面１０１ａの全体にわたって均一な明るさを得るために改良された中空型ライトボックスが種々提案されている。例えば、特開平５−１８１１３６号公報には、上記発光面側のプリズムフィルムにおいて鋸歯状の断面にてなるプリズム部を上記導光空間側に向け、上記プリズム部における斜面部分に光学的正反射特性を示す反射膜を被着した構成を有するライトボックスが開示されている。
【０００３】
【発明が解決しようとする課題】
しかしながら、ライトボックスの厚さを薄くし、かつ発光面全体における明るさの均一性をより向上させるためには、上述の改良されたライトボックスにあっても、光源から投じられた光を上記発光面に対して拡散させる拡散フィルムの設計や加工に厳しい精度が要求され、又はライトボックス自体の組み立てに厳しい精度が要求される。よって、上記設計、加工若しくは組み立てに要する工程が煩雑になり製造コストの増加を招き、又、ライトボックス全体の軽量化が困難であるという問題点がある。
本発明はこのような問題点を解決するためになされたもので、薄型、軽量であり、発光面の明るさの均一性が高く、設計製造も容易なライトボックスを提供することを目的とする。
【０００４】
【課題を解決するための手段】
本発明は、透光性を有する板材でありその厚さ方向の一面が平坦な発光面であり上記一面に対向する他面には複数のプリズム部が形成された第１プリズム板と、板状体とを略平行に対向させて配置することで上記第１プリズム板と上記板状体との間に導光空間を形成し、上記発光面から放射するための光を上記導光空間へ投光する光源を備えたライトボックスであって、
多孔質体を含み、上記光源からの光を内部で乱反射させ外側に多方向に向けて放出させる光拡散機能を有する光拡散部材を上記導光空間内に備え、上記光拡散部材は、上記導光空間の隙間の１／２０以上の厚みを有することを特徴とする。
【０００５】
【作用】
光拡散部材は光源から導光空間へ投光された光を拡散する。よって光拡散部材は第１プリズム板における発光面全体にわたって均一な明るさが得られるように作用する。又、光拡散部材は、多孔質体を含むことからライトボックスのサイズが大きくなってもライトボックス全体の重量を増加しないように作用する。さらに、光拡散部材は、多孔質体を含む部材であることから、加工性がよく製造コストを低減するように作用する。さらに、光拡散部材は、単に導光空間に設ければよいことから、従来用いられていた勾配パターンをもつ網点印刷や、拡散板やプリズムフィルムを曲げたり傾斜させたりすることが必要なくなく、製造が簡単となり、製造コストを低減するように作用する。又、光源を導光空間に設けていないことは、ライトボックスを薄型化するように作用する。
【０００６】
【実施例】
本発明の一実施例であるライトボックスについて図を参照しながら以下に説明する。尚、各図において同じ構成部分については同じ符号を付している。又、「板状体」と同じ機能を果たすものの一例として、本実施例では第２プリズム板及び反射板５が相当する。
図１にはライトボックスの一実施例の構成を示しており、図２には組み立てられた上記ライトボックスの長手方向断面を示す。本実施例のライトボックスの基本的な構成は、従来の中空型ライトボックスとほぼ同様であり、以下にその構成を概説する。
好ましくは長方形状で板状体の第１プリズム板６と第２プリズム板８とを適宜な間隔をあけてほぼ平行に対向して配置する。このようにすることで第１プリズム板６と第２プリズム板８とによって挟まれる空間が導光空間３となる。導光空間３内には、本ライトボックスの特徴部分である光拡散部材４が配置される。第１プリズム板６及び第２プリズム板８のそれぞれの側面６ａ，８ａに沿って棒状の光源１が配置され、光源１の背後には光源１から発せられた光を導光空間３側へ反射させるためのＵ字形断面の反射板２が光源１に沿って配置される。又、第１プリズム板６及び第２プリズム板８のそれぞれの長手方向の側面６ｂ，８ｂには、導光空間３へ投光された光を導光空間３内へ反射させる反射板７が上記側面６ｂ，８ｂに沿って配置される。このように第１プリズム板６、第２プリズム板８、反射板２、及び反射板７にて導光空間３は閉じられた空間を形成する。さらに、第２プリズム板８の裏面８ｃの全面には第２プリズム板８を透過した光を導光空間３方向へ戻すための反射板５が設けられる。又、第１プリズム板６の裏面の全面には、第１プリズム板６を透過してきた光を拡散させて外部へ放射する拡散板９が設けられる。
【０００７】
次に、本ライトボックスの上述した各構成部分について詳述する。
第１プリズム板６は、裏面が平坦面であり表面６ｄには複数のプリズム部６１が形成されている透光性を有する樹脂材からなり、プリズム部６１を有する表面６ｄが導光空間３側となるように配置される。尚、上記裏面が発光面６ｃとなる。又、プリズム部６１は、図３に示すように三角形状の断面をなすものであり、第１プリズム板６においては、光源１から投じられた光の光軸に直交する方向に延在する。プリズム部６１をこのように配置することで、後述する第２プリズム板８に形成したプリズム部６１と相関して、第１プリズム板６の発光面６ｃにおける輝度をムラなく均一にすることが容易になる。
【０００８】
このような第１プリズム板６は、例えば、３Ｍ（ミネソタ マイニング アンドマニュファクチュアリング）社製の商品名「ＯＬＦ」、「ＢＥＦ」、「ＴＲＡＦ」等の製品が使用できる。上記「ＯＬＦ」（3M Optical Lighting Film）では、上記プリズム部６１は、上記プリズム部６１における頂角θが約９０度であり、頂上間の距離Ｌが約３６０μｍにて構成されている。上記「ＢＥＦ」（Brightness Enhancement Film）では、上記プリズム部６１は、上記頂角θが約９０度であり上記頂上間の距離Ｌが約５０μｍであるタイプと、上記頂角θが約１００度であり上記頂上間の距離Ｌが約３１μｍであるタイプとがある。又、上記「ＴＲＡＦ」（Transparent Right Angle Film）では、上記プリズム部６１は、上記頂角θが７０度であり上記頂上間の距離Ｌが約２８０μｍである。又、第１プリズム板６は、ポリカーボネート系樹脂の他、ポリアクリル系樹脂、ポリエステル系樹脂等の樹脂を用いて、所定の上記頂角θ及び上記距離Ｌを有するプリズム部６１に相当する多数の凹凸を有する金型にて、射出成形により形成することができる。
尚、プリズム部６１の形状は、上述した三角形の断面のものに限るものではなく、広く角錐形状のものとすることができる。
【０００９】
又、第２プリズム板８についても第１プリズム板６と同様の材料及び形状にて形成することができ、第２プリズム板８は、第１プリズム板６の裏面である発光面６ｃに対して導光空間３から照射される光量を増加させ発光面６ｃ全体の輝度を向上可能なように、プリズム部６１が形状された表面８ｄが導光空間３側となるように配置される。又、第２プリズム板８においては、第１プリズム板６の発光面６ｃにおいて光源１から遠い部分にも光を有効に照射することができるように、プリズム部６１は、光源１から投じられた光の光軸に平行となる方向に延在する。又、第２プリズム板８の表面８ｄは光反射性を有するようにしてもよい。又、第１プリズム板６の裏面側のみを発光面とし導光空間３から上記発光面に照射される光量を増加させて上記発光面全体の輝度を向上させるため、第２プリズム板８の裏面８ｃには、裏面８ｃの全面を覆う反射板５を備えるのが好ましい。
【００１０】
反射板５は、上記裏面８ｃに対向する表面５ａに銀、アルミニウム等の金属薄膜を被着させた樹脂製の板や、表面５ａが白色に着色された樹脂板や、アルミニウム等の金属板等から形成される。具体的に反射板としては、鏡面反射性のもの、例えば、３Ｍ社製の商品名「SilverluxTM反射フィルム」の製品、または拡散反射性のもの、例えば、３Ｍ社製の商品名「ScotchcalTMフィルム  品番：１１２５−２０」の製品が使用できる。
【００１１】
光源１は、図示するような棒状のものの他、球状等の光源が使用でき、好ましくは蛍光管である。又、光源１は、発光面６ｃに対向して導光空間３内に設けることもできるが、光源１からの直接光が発光面に集中しその部分と他の部分との間に輝度の差が生じることを容易に防止できることから、図示するように、導光空間３の少なくとも１つの側面位置に配置されるのが好ましい。光源１が導光空間３の上記側面位置に配置される場合、発光面６ｃにおける輝度を上昇させ、及びその輝度のムラをなくすことが容易にできることから、上記側面位置に対向する側面に、又は上記側面位置に隣り合う側面位置、即ち第１プリズム板６及び第２プリズム板８の長手方向の側面６ｂ，８ｂ側に、それぞれ１個の光源を設けることが好ましい。特には、３以上の側面位置に光源を設けるのが好ましい。又、光源１から放射された光が有効に導光空間３内方向へ照射されるように、光源１に対して導光空間３が位置する方向とは反対方向に、Ｕ字形状断面の反射板２を設ける。
【００１２】
次に、本ライトボックスにおける特徴部分である多孔質体を備えた光拡散部材４について説明する。光拡散部材４は次に述べるような多孔質体の性質を利用することにより、多孔質体を備えた当該光拡散部材内に一つの方向から進入してきた光を内部で乱反射させ、光拡散部材４の外側に多方向に向けて放出させて光拡散機能を発揮するものである。図１２に示すように、上記多孔質体内の孔４１は、多孔質体を形成する材料４２（例えば繊維）に囲まれた空間からなり、その孔４１を通過してきた光は孔４１の表面、即ち上記材料の表面４２ａにおいて反射及び屈折され、反射光と屈折光とに分かれる。上記孔の表面４２ａは、光を乱反射させること、及び上記屈折光の進行方向を種々の向きに変えることができる不定形等の形に形成されており、入射方向の等しい光を反射及び屈折した後に、ばらばらの方向に進行する光線群からなる拡散光とすることができる。例えば多孔質体を後述するような繊維材料から形成すれば、孔４１の表面４２ａを容易に不定形とすることができる。上記拡散部材４内に進入してきた光は、多孔質体を形成する材料４２の中、又は孔４１（即ち上記空間）の中を通過し、その通過光が孔の表面４２ａにおいて上記のようにして反射及び屈折される。又、多孔質体内ではこのような反射が何回も繰り返されるので、均一な明るさの拡散光を得ることができる。このような拡散部材４は多孔質体を有することから軽量であり、かつ光の散乱を得やすく、ライトボックス用の拡散部材として優れている。
【００１３】
上記多孔質体としては、樹脂を含む例えばスポンジのような連続体、又は合成繊維、天然繊維、金属繊維、セラミック繊維等からなる繊維の集合体である。上記樹脂は合成高分子に限らず天然高分子でもよく、上記連続体としてはヘチマ、綿花等の天然素材も使用できる。又、上記樹脂としては、セルロース系、ポリエステル系、ポリオレフィン系、アクリル系、ポリウレタン系、ポリ塩化ビニル系、ポリ酢酸ビニル系等が使用できる。上記繊維の集合体としては、綿状に自然に繊維が絡まってできたものや、不織布または織布の用に人工的に形成されたものが使用できる。又、繊維の集合体としては、裁断、打ち抜き等の加工のし易さから不織布または織布が好適である。又、光拡散機能の点からは、孔の体積を比較的容易に大きくすることが可能でそれによって上記多孔質体を通過する光量を多くし、発光面６ｃにおける輝度を容易に上昇させることが可能であることから、上述した繊維材料からなる多孔質体、即ち、不織布または織布が好ましい。尚、光透過性の高い繊維の場合、よりいっそう発光面６ｃの輝度を上昇させることができる。
【００１４】
好適な不織布として具体的には、３Ｍ社製で商品名「ThinsulateTM」の製品が挙げられる。
又、上記多孔質体の体積密度は、その値が小さすぎると光拡散機能が低下するおそれがあり、反対に大きすぎると光拡散機能が過度に大きくなり、発光面６ｃの輝度の均一性が低下する恐れがあることから、１．０×１０-4〜１ｍｇ／ｍｍ3の範囲であるのが好ましい。
このような多孔質体を備える、又は上記多孔質体からなる光拡散部材４は、例えば図示するような板状の形状であり、導光空間３内において例えば第２プリズム板８の表面８ｄに、透明性の高い接着剤または両面接着テープを使用して取り付けられる。尚、光拡散部材４は例えば第２プリズム板８の表面８ｄに取り付けられなくてもよく、第２プリズム板８、第１プリズム板６と接していても、離れていても良い。
又、光拡散部材４が導光空間３内に占める体積割合は、５％以上１００％以下の範囲、特に２０〜７０％の範囲であるのが好ましい。その理由は、上記体積割合が５％未満であると光拡散機能が低下するおそれがあるからである。
【００１５】
又、光拡散部材４の平面形状としては、第１、第２プリズム板６，８の平面形状にかかわらず、種々の形状のものを使用でき、例えば矩形、三角、円、楕円等である。図４に示す光拡散部材４は、図１に示すタイプに相当し、第１、第２プリズム板６，８の相似形である場合を示している。図５に示す光拡散部材４は楕円の場合を示し、図６に示す光拡散部材４はひし形であってその対角線４ａを例えば第２プリズム板８の側面８ａに平行とし対角線４ｂを例えば第２プリズム板８の側面８ｂに平行として配置した場合を示している。図７に示す光拡散部材４は第２プリズム板８の中央部に配置した場合を示している。尚、図４ないし図７において矢印１５０は光源１からの光の進行方向を示す。
【００１６】
又、発光面６ｃにおける輝度の均一性をさらに向上させるため、光拡散部材４は光源から離れるに従い導光空間３内における占有体積が多くなるような形状とするのが好ましい。又、同様の理由により導光空間３の中央部に位置する光拡散部材４の部分は、他の部分に比べて隆起させるのが好ましい。又、同様の理由により、光拡散部材４の体積密度について、縁部４ｃよりも中央部４ｄにおける体積密度を大きくする方が好ましい。又、同様の理由により、光拡散部材４は、光を反射しやすい色、例えば白色や金属光沢色等の色を有するのが好ましく、反射光及び屈折光を有効に拡散光として利用するためには無色透明であるのがさらに好ましい。
又、光拡散部材４の厚さは、通常、導光空間３の隙間の１／２０以上にする。又、上述した光源１が例えば複数の点光源からなるような場合には、光源１に対向する光拡散部材４の側面には光源の形状に対応して例えば半球形状の凹部を形成するようにしてもよい。
【００１７】
さらに、発光する表面における輝度をムラなく均一に大きくするために、第１プリズム板６の発光面６ｃの全面に拡散板９を設けるのが好ましい。拡散板９は、光透過性樹脂を含む材料にてなり、上記発光面６ｃに対向する拡散板９の裏面９ｂ又は表面９ａの少なくとも一方に細かい凹凸を施したり、発光面６ｃから放射される光を拡散させる粒子を拡散板９内に混ぜ込んだ材料から成形された板等から形成することができる。尚、このような拡散板９を設けた場合には、拡散板９の表面９ａがライトボックスの発光表面となる。
【００１８】
又、本ライトボックスにおいて発光する表面の輝度を均一にしたり、表面全体の明るさを増すために、図８に示すように、拡散板９の表面９ａの全面を覆うようにして、第３のプリズム板１１を設けることもできる。このように第３プリズム板１１を設けた場合には、第３プリズム板１１の表面１１ａがライトボックスの発光表面となる。尚、第３プリズム板１１は、上述した第１プリズム板６、第２プリズム板８と同じ材料、形状にてなるものである。
【００１９】
又、拡散板９を設けない場合における発光面６ｃ、又は拡散板９を設ける場合における発光表面９ａ、さらに第３プリズム板１１を設ける場合における発光表面１１ａのそれぞれにおける輝度を均一にするため、及び発光面６ｃ、発光表面９ａ又は発光表面１１ａの全面の明るさを増すために、図９及び図１０に示すように、光源１と導光空間３との間に、光源１に沿って第４のプリズム板１０を設けることもできる。第４プリズム板１０は、上述した第１プリズム板６、第２プリズム板８と同じ材料、形状にてなるものである。尚、図９及び図１０に示すように、第４プリズム板１０に形成されるプリズム部６１は、光源１の延在方向と同方向に延在しているが、これに限らず、光源１の延在方向に直交する方向に延在するタイプであってもよい。
【００２０】
又、導光空間３は、光源１、第１プリズム板６、第２プリズム板８が設けられる部分に開口を有し、光源１から導光空間３内に照射される光を外部に漏らさないような構造であり、例えば、アルミニウム、遮光性塗料が塗られた樹脂等の遮光性材料製の中空ボックスから形成してもよい。
【００２１】
次に、本実施例におけるライトボックスの具体的な寸法等を説明する。尚、以下に説明するライトボックスの構成は、基本的に図８に示す構成であるが、光源１が第１プリズム板６及び第２プリズム板８の長手方向の側面６ｂ，８ｂに沿って延在する点が図８に示す構成とは異なる。
このライトボックスは、横約２４３ｍｍ，縦約２１０ｍｍ、厚さ約１２ｍｍの大きさからなるものである。第１プリズム板６、第２プリズム板８、及び第３プリズム板１１としては、上述した３Ｍ社製の「ＢＥＦ」の型番９０のものを使用し、上述したように、又、図８に示すように、第１プリズム板６及び第２プリズム板８を配置して、厚さ１０ｍｍの導光空間３を造る。導光空間３の両端には、線状光源１として、長さ２４０ｍｍ、直径４ｍｍで消費電力１．２Ｗの蛍光管を配置する。又、第１プリズム板６の裏面６ｃの全面に横２４０ｍｍ、縦１９７ｍｍの大きさを有する拡散板９を配置し、さらに拡散板９の表面９ａの全面には第３プリズム板１１を配置した。尚、図示するように、第１プリズム板６に形成されたプリズム部６１は導光空間３側に位置し、第３プリズム板１１に形成されたプリズム部６１はライトボックスの外部側に位置する。又、第１プリズム板６及び第３プリズム板１１のプリズム部６１は、ともに光源１の延在方向と同方向に延在する。第２プリズム板８に形成されたプリズム部６１は導光空間３側に位置し、光源１の延在方向に直交する方向に延在する。さらに、第２プリズム板８の裏面８ｃの全面には、横２４０ｍｍ、縦１９７ｍｍの大きさを有する反射板５を配置した。又、第１プリズム板６及び第２プリズム板８の長手方向の側面６ｂ，８ｂに沿って、光反射効率のよい白色のフィルムにてなる反射板７を設置する。又、導光空間３内の中央部には、不織布からなる光拡散部材４を設置する。上記不織布としては、上述した、３Ｍ社製の「Thinsulate」を加工し、体積密度が０．０１ｍｇ／ｍｍ3としたものを２４２ｍｍ×７０ｍｍ×１０ｍｍの大きさに切り取ったものを用いた。
【００２２】
上述した構造にて形成されたライトボックスは、光源１が発光することで光源１から放射された光が導光空間３内に照射され、光拡散部材４によって上記光が拡散されて第１及び第２プリズム板６，８に入射する。第２プリズム板８に入射した光は反射板５にて反射され再度導光空間３方向へ進行し第１プリズム板６に入射する。光源１、第２プリズム板８、光拡散部材４、反射板７等から直接又は間接に第１プリズム板６へ入射した光は、第１プリズム板６を透過し拡散板９に入射して拡散され、第３プリズム板１１に入射する。そして第３プリズム板１１に入射した光は、第３プリズム板１１を透過し第３プリズム板１１の表面１１ａから外部へ放射される。
【００２３】
ライトボックスを暗室内で発光させ、図８に示す第３プリズム板１１の発光表面１１ａの鉛直上方方向、即ち発光表面１１ａを基準として反導光空間３方向において、図１１に示すように点線７１と点線７２との交点に位置する測定点７０にてその輝度を測定した。尚、点線７１は、図１１に示す第３プリズム板１１の縦方向に延在する仮想の点線であり、各点線７１が延在する位置は、発光表面１１ａの横方向、即ち光源１の延在方向に図示する寸法にて指定される位置、即ち左部、左中央部、中央部、右中央部、右部に対応する位置である。点線７２は、第３プリズム板１１において光源１の延在方向に延在する仮想の点線であり、各点線７２は発光表面１１ａの縦方向、即ち光源１の延在方向に直交する方向に図示する寸法にて指定される位置、即ち上部、上中央部、中央部、下中央部、下部に対応する位置である。
各測定点７０にて測定された各点の輝度値を表１に示す。尚、表１に示す輝度値を測定するために使用したライトボックスをライトボックス８０とする。
【００２４】
又、図１０に示すように、第１プリズム板６等と同じ材料である、３Ｍ社製の上記「ＢＥＦ」の型番９０を２４２ｍｍ×１０ｍｍの大きさに切り取った第４プリズム板１０を、光源１と導光空間３との間に介在させた構造を有するライトボックスを発光させた場合において、上記測定点７０における測定結果を表２に示す。尚、表２に示す輝度値を測定するために使用したライトボックスをライトボックス８１とする。
【００２５】
又、上記ライトボックス８０から、光拡散部材４を除去した構造を有するライトボックス８２を使用して測定した輝度値を表３に示す。
又、上記ライトボックス８１から、光拡散部材４を除去した構造を有するライトボックス８３を使用して測定した輝度値を表４に示す。
【００２６】
【表１】
0003758708.tif 000002
【００２７】
【表２】
0003758708.tif 000003
【００２８】
【表３】
0003758708.tif 000004
【００２９】
【表４】
0003758708.tif 000005
【００３０】
表１と表３、及び表２と表４の比較からも明らかなように、本実施例のライトボックス８０，８１にて得られる輝度値（明るさ）の標準偏差が従来のタイプに相当するライトボックス８２，８３にて得られる輝度値の標準偏差に対して約２０％小さくなり、肉眼の観察においても明るさの均一性の改善が確認された。
【００３１】
【発明の効果】
以上詳述したように本発明によれば、光源から導光空間へ投光された光を拡散する光拡散部材を備えたことより、第１プリズム板における発光面全体にわたって均一な明るさを得ることができる。ライトボックスのサイズが大きくなりそれに伴い光拡散部材のサイズも大きくなっても、光拡散部材は多孔質体を含むものであるので、ライトボックス全体の重量を増加させることはない。又、光拡散部材は、多孔質体を含む部材であることから、加工性がよく製造コストを低減することができる。さらに、光拡散部材は、単に導光空間内に設ければよいことから、従来用いられていた勾配パターンをもつ網点印刷や、拡散板やプリズムフィルムを曲げたり傾斜させたりすることが必要なくなく、製造が簡単となり、製造コストを低減することができる。又、光源を導光空間内に設けていないことから、ライトボックスを薄型化することができる。
【図面の簡単な説明】
【図１】  本発明の一実施例であるライトボックスの構成の一例を示す組立分解図である。
【図２】  図１に示すライトボックスにおける長手方向に沿って切断したときの断面図である。
【図３】  図１に示されるプリズム板に形成されるプリズム部の形状を示す図である。
【図４】  本実施例のライトボックスに備わる光拡散部材の平面形状を示す図である。
【図５】  本実施例のライトボックスに備わる光拡散部材の他の平面形状を示す図である。
【図６】  本実施例のライトボックスに備わる光拡散部材の他の平面形状を示す図である。
【図７】  本実施例のライトボックスに備わる光拡散部材の他の平面形状を示す図である。
【図８】  本発明の一実施例であるライトボックスの他の構成例を示す組立分解図である。
【図９】  本発明の一実施例であるライトボックスのさらに他の構成例を示す組立分解図である。
【図１０】  本発明の一実施例であるライトボックスのさらに他の構成例を示す組立分解図である。
【図１１】  ライトボックスの発光面における輝度を測定するための測定点の位置を示す図である。
【図１２】  本実施例のライトボックスに備わる光拡散部材を構成する多孔質体を示す図である。
【図１３】  従来のライトボックスの断面図である。
【符号の説明】
１…光源、３…導光空間、４…光拡散部材、６…第１プリズム板、
８…第２プリズム板、６１…プリズム部。
【図１】
0003758708.tif 000006
【図２】
0003758708.tif 000007
【図３】
0003758708.tif 000008
【図４】
0003758708.tif 000009
【図５】
0003758708.tif 000010
【図６】
0003758708.tif 000011
【図７】
0003758708.tif 000012
【図８】
0003758708.tif 000013
【図９】
0003758708.tif 000014
【図１０】
0003758708.tif 000015
【図１１】
0003758708.tif 000016
【図１２】
0003758708.tif 000017
【図１３】
0003758708.tif 000018